(57)【要約】【課題】無線通信装置で、通信相手の装置に対する複数のチャネルの信号の通信について使用する通信リソース領域の割り当ての制御を効率化する。【解決手段】ＲＢ情報記憶手段８が、リソースブロック識別情報、リソースブロックに割り当てるチャネルの識別情報、リソースブロックに含まれるリソースエレメントに割り当てる他のチャネルの有無を識別してそれが有る場合には参照先を識別する情報を対応付けて記憶する。ＲＢ共有情報記憶手段８が、前記参照先又は更なる参照先となり、参照元の識別情報、次の参照先の識別情報、リソースエレメントの時間方向位置の識別情報、周波数方向位置の識別情報、リソースエレメントに割り当てるチャネルの識別情報を対応付けて記憶する。割り当て制御手段８が、記憶内容に基づいて通信リソース領域の割り当てを制御する。【選択図】  図１
2009165001.tif 000002
【特許請求の範囲】
【請求項１】
通信相手の装置に対する複数のチャネルの信号の通信について使用する通信リソース領域を割り当てる無線通信装置において、
前記通信リソース領域は時間方向と周波数方向を有しており、当該通信リソース領域では、割り当ての最小単位となるリソースエレメントと、所定の複数個のリソースエレメントからなるリソースブロックが設定され、
当該無線通信装置は、リソースブロックを識別する情報、当該リソースブロックに割り当てるチャネルを識別する情報、当該リソースブロックに含まれるリソースエレメントに割り当てる他のチャネルの有無を識別してそれが有る場合には参照先を識別する情報を対応付けて記憶するＲＢ情報記憶手段と、
前記ＲＢ情報記憶手段における前記参照先又は更なる参照先となり、参照元を識別する情報、次の参照先を識別する情報、リソースエレメントの時間方向の位置を識別する情報、当該リソースエレメントの周波数方向の位置を識別する情報、当該リソースエレメントに割り当てるチャネルを識別する情報を対応付けて記憶するＲＢ共有情報記憶手段と、
前記ＲＢ情報記憶手段に記憶された内容と前記ＲＢ共有情報記憶手段に記憶された内容に基づいて前記通信リソース領域の割り当てを制御する割り当て制御手段と、
を備えたことを特徴とする無線通信装置。
【発明の詳細な説明】
【技術分野】
【０００１】
本発明は、例えば、ＯＦＤＭマッピング制御を行う無線基地局装置などの無線通信装置に関し、特に、ＯＦＤＭマッピング制御を効率化した無線通信装置に関する。
【背景技術】
【０００２】
例えば、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を使用して、無線基地局装置（ＢＴＳ）と端末装置との間で無線通信を行う無線通信システムが実施されている。
無線基地局装置から端末装置への下りリンクにおいて、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を用いた場合、無線基地局装置は、周波数軸上において無線品質が良好な周波数領域に送信データをスケジューリングすることにより、スループットを向上することができる。また、端末装置から無線基地局装置への上りリンクについても、同様なスケジューリングを行うことが可能である。
【０００３】
図９〜図１１には、ＬＴＥ（Ｌｏｎｇ−Ｔｅｒｍ  Ｅｖｏｌｕｔｉｏｎ）における各種の３ＧＰＰ仕様を示してある（非特許文献１参照。）。
図９には、下りリンクの物理チャネル（Ｐｈｙｓｉｃａｌ  Ｃｈａｎｎｅｌｓ）のベースバンド構成の一例を示してある。
下りリンクのベースバンド処理では、チャネルコーディングやＲＭやインターリーブした符号化データをコードワード（ｃｏｄｅ  ｗｏｒｄｓ）として、スクランブル部（Ｓｃｒａｎｂｌｉｎｇ）１０１、１０２がスクランブリング符号を乗じる。
【０００４】
次に、変調マップ部（Ｍｏｄｕｌａｔｉｏｎ  Ｍａｐｐｅｒ）１０３、１０４が、例えばＱＰＳＫ（Ｑｕａｄｒａｔｕｒｅ  Ｐｈａｓｅ  Ｓｈｉｆｔ  Ｋｅｙｉｎｇ）や１６ＱＡＭ（Ｑｕａｄｒａｔｕｒｅ  Ａｍｐｌｉｔｕｄｅ  Ｍｏｄｕｌｔｉｏｎ）や６４ＱＡＭなどの変調を行う。
次に、レイヤマップ部（Ｌａｙｅｒ  Ｍａｐｐｅｒ）１０５が、トランスミッションランクとコードワード数を用いて、レイヤ（ｌａｙｅｒｓ）にマッピングする。
【０００５】
次に、プレコード部（Ｐｒｅｃｏｄｉｎｇ）１０６が、レイヤ信号を用いて、送信ダイバーシチを行い、各アンテナ毎に信号を出力する。
次に、ＯＦＤＭマップ部（ＯＦＤＭ  Ｍａｐｐｅｒ）１０７、１０８が、各物理チャネル、物理シグナルの送信ダイバーシチ後の物理リソース信号をＯＦＤＭリソースエレメントにマッピングする。
そして、ＯＦＤＭ信号生成部（ＯＦＤＭ  ｓｉｇｎａｌ  ｇｅｎｅｒａｔｉｏｎ）１０９、１１０が、ＯＦＤＭ信号を生成し、アンテナポート（ａｎｔｅｎｎａ  ｐｏｒｔｓ）へ送信する。
【０００６】
図１０には、ＯＦＤＭ方式における下りリンクのリソースグリッドの一例を示してある。本例の下りリンクのリソースグリッドは、アンテナ毎に構成される。
１つの下りスロットでは、時間方向（図１０において横軸）にＮＤＬｓｙｍｂ個のＯＦＤＭシンボルがあり、周波数方向（図１０において縦軸）にＮＤＬＢＷ個のサブキャリアがある。１個のＯＦＤＭシンボル及び１個のサブキャリアにより特定される領域（１個のグリッド）がリソースエレメントとなる。
また、ＯＦＤＭシンボル方向（時間方向）に連続したＮＤＬｓｙｍｂ個のリソースエレメント（１スロット分に相当するリソースエレメント）とサブキャリア方向（周波数方向）に連続したＮＲＢＢＷ個のリソースエレメント（１８０ｋＨｚ分に相当するリソースエレメント）で囲まれる（ＮＤＬｓｙｍｂ×ＮＲＢＢＷ）個のリソースエレメントの集合領域がリソースブロック（ＲＢ）となる。
【０００７】
図１０に示されるのと同様な構成を有する下りスロットが、例えば、連続的に複数並べられて通信される。
この場合、下りスロットに設定された各リソースブロックや各リソースエレメントは、変更がなければ、下りスロットの周期毎に、同一のものが出現することとなる。
【０００８】
図１１には、下りリンクにおけるＯＦＤＭリソースブロックの各パラメータの値の一例を示してある。
具体的には、コンフィギュレーション（Ｃｏｎｆｉｇｕｒａｔｉｏｎ）として、ノーマルサイクリックプリフィクス（Ｎｏｒｍａｌ  ｃｙｃｌｉｃ  ｐｒｅｆｉｘ）とエクステンディドサイクリックプリフィクス（Ｅｘｔｅｎｄｅｄ  ｃｙｃｌｉｃ  ｐｒｅｆｉｘ）を示してあり、また、フレーム構造として、フレーム構造タイプ１（Ｆｒａｍｅ  ｓｔｒｕｃｔｕｒｅ  ｔｙｐｅ  １）とフレーム構造タイプ２（Ｆｒａｍｅ  ｓｔｒｕｃｔｕｒｅ  ｔｙｐｅ  ２）を示してある。
【０００９】
【非特許文献１】３ＧＰＰ  ＴＳ  ３６．２１１  Ｖ１．１．０  （２００７−０５）
【発明の開示】
【発明が解決しようとする課題】
【００１０】
しかしながら、従来の無線基地局装置におけるＯＦＤＭマッピング制御では、未だに不十分な点があり、特に、ＲＢ単位でマッピングする信号とリソースエレメント単位でマッピングする信号があるような場合における効率化が要求されていた。
本発明は、このような従来の事情に鑑み為されたもので、例えば、マッピング制御を行うに際して、効率化を図ることができる無線通信装置を提供することを目的とする。
【課題を解決するための手段】
【００１１】
上記目的を達成するため、本発明では、通信相手の装置に対する複数のチャネルの信号の通信について使用する通信リソース領域を割り当てる無線通信装置において、次のような構成とした。
すなわち、前記通信リソース領域は時間方向（例えば、シンボル方向）と周波数方向（例えば、キャリア方向）を有しており、当該通信リソース領域では、割り当ての最小単位となるリソースエレメントと、所定の複数個のリソースエレメントからなるリソースブロックが設定される。
そして、当該無線通信装置では、ＲＢ情報記憶手段が、リソースブロックを識別する情報、当該リソースブロックに割り当てるチャネルを識別する情報、当該リソースブロックに含まれるリソースエレメントに割り当てる他のチャネルの有無を識別してそれが有る場合には参照先を識別する情報を対応付けて記憶する。ＲＢ共有情報記憶手段が、前記ＲＢ情報記憶手段における前記参照先又は更なる参照先となり、参照元を識別する情報、次の参照先を識別する情報、リソースエレメントの時間方向の位置を識別する情報、当該リソースエレメントの周波数方向の位置を識別する情報、当該リソースエレメントに割り当てるチャネルを識別する情報を対応付けて記憶する。割り当て制御手段が、前記ＲＢ情報記憶手段に記憶された内容と前記ＲＢ共有情報記憶手段に記憶された内容に基づいて、前記通信リソース領域の割り当てを制御する。
従って、例えば、マッピング制御を行うに際して、効率化を図ることができ、具体的には、リソースブロック単位での割り当てとリソースエレメント単位での割り当てを効率的に制御することができる。
【００１２】
ここで、無線通信装置としては、例えば、無線基地局装置などの種々な装置が用いられてもよい。
また、通信相手の装置としては、例えば、端末装置などの種々な装置が用いられてもよい。
また、複数のチャネルの数としては、種々な数が用いられてもよい。また、各チャネルとしては、種々なものが用いられてもよい。
また、通信リソース領域としては、種々なものが用いられてもよく、例えば、ＯＦＤＭ方式のリソースグリッドの領域を用いることができる。
【００１３】
また、リソースエレメントの大きさや形状などや、リソースブロックの大きさ（例えば、リソースブロックに含まれるリソースエレメントの個数）や形状などとしては、それぞれ、種々な態様が用いられてもよい。
また、リソースブロックを識別する情報や、チャネルを識別する情報としては、それぞれ、種々なものが用いられてもよく、例えば、番号の情報や記号の情報などを用いることができる。
また、参照元を識別する情報や、参照先を識別する情報としては、それぞれ、種々なものが用いられてもよく、例えば、メモリのアドレス位置の情報を用いることができ、一例として、該当する対象（参照元や参照先）の先頭アドレスの値の情報を用いることができる。
【００１４】
また、リソースエレメントの時間方向の位置を識別する情報や、リソースエレメントの周波数方向の位置を識別する情報としては、それぞれ、種々なものが用いられてもよく、例えば、リソースブロック内における時間方向の位置を示す番号などの情報や、リソースブロック内における周波数方向の位置を示す番号などの情報を用いることができる。
また、ＲＢ情報記憶手段の記憶内容やＲＢ共有情報記憶手段の記憶内容に基づいて通信リソース領域の割り当てを制御する手法としては、種々なものが用いられてもよい。
【００１５】
また、あるチャネルが割り当てられるリソースブロックに含まれるリソースエレメントに割り当てる他のチャネルの有無を識別してそれが有る場合には参照先を識別する情報としては、種々なものが用いられてもよく、例えば、当該他のチャネルが有る場合には当該参照先を識別する情報を設定して、当該他のチャネルが無い場合には参照先を識別する情報以外の所定の情報（例えば、ＮＵＬＬの情報）を設定するような態様を用いることができる。
【００１６】
また、ＲＢ情報記憶手段における参照先又は更なる参照先となることは、例えば、直接的にＲＢ情報記憶手段に記憶された参照先となること、又は、このような参照先により参照される参照先となること、或いは、同様に、それ以降の参照先となることを言っている。なお、前記した更なる参照先は、例えば、ＲＢ情報記憶手段との間に介在する途中の参照先が削除されると、参照先の順序が繰り上げられる。
【発明の効果】
【００１７】
以上説明したように、本発明に係る無線通信装置によると、例えば、マッピング制御を行うに際して、効率化を図ることができ、具体的には、リソースブロック単位での割り当てとリソースエレメント単位での割り当てを効率的に制御することができる。
【発明を実施するための最良の形態】
【００１８】
本発明に係る実施例を図面を参照して説明する。
なお、本実施例の特徴点は、特に、図９に示されるＯＦＤＭマップ部１０７、１０８の制御方法や、図１０に示される下りリンクのＯＦＤＭリソースグリッドの構成方法に関する。
本例の無線通信システムでは、無線基地局装置と端末装置とが無線により各種の信号を通信する。
【００１９】
図１には、本発明の一実施例に係るＬＴＥにおける無線基地局装置の構成例を示してある。本例では、４本の送信アンテナ１６ａ〜１６ｄを備えた無線基地局装置を示すが、アンテナの本数としては他の態様が用いられてもよい。
本例の無線基地局装置は、ＰＤＳＣＨ（Ｐｈｙｓｉｃａｌ  Ｄｏｎｌｉｎｋ  Ｓｈａｒｅｄ  Ｃｈａｎｎｅｌ）のベースバンド信号の処理部１と、ＰＤＳＣＨのベースバンド信号の処理部２と、ＰＤＣＣＨ（Ｐｈｙｓｉｃａｌ  Ｄｏｗｎｌｉｎｋ  Ｃｏｎｔｒｏｌ  Ｃｈａｎｎｅｌ）のベースバンド信号の処理部３と、ＣＣＰＣＨ（Ｃｏｍｍｏｎ  Ｃｏｎｔｒｏｌ  Ｐｈｙｓｉｃａｌ  Ｃｈａｎｎｅｌ）のベースバンド信号の処理部４と、参照信号（ｒｅｆｅｒｅｎｃｅ  ｓｉｇｎａｌ）のベースバンド信号の処理部５と、同期信号（ｓｙｎｃｈｒｏｎｉｚａｔｉｏｎ  ｓｉｇｎａｌ）のベースバンド信号の処理部６と、ダミーデータの処理部７と、ＯＦＤＭマッピング制御部８を備えている。
【００２０】
また、本例の無線基地局装置は、各アンテナ（アンテナ０、１、２、３）の系毎に、マルチプレクサ（ＭＵＸ：Ｍｕｌｔｉｐｌｅｘｅｒ）１１ａ〜１１ｄと、ＦＩＦＯ（Ｆｉｒｓｔ−Ｉｎ  Ｆｉｒｓｔ−Ｏｕｔ）部１２ａ〜１２ｄと、ＩＦＦＴ（Ｉｎｖｅｒｓｅ  Ｆａｓｔ  Ｆｏｕｒｉｅｒ  Ｔｒａｎｓｆｏｒｍ）部１３ａ〜１３ｄと、ＣＰ（Ｃｏｎｔｉｎｕａｌ  Ｐｉｌｏｔ）挿入部１４ａ〜１４ｄと、フィルタ１５ａ〜１５ｄと、送信アンテナ１６ａ〜１６ｄを備えている。
【００２１】
本例の無線基地局装置において行われる概略的な処理の一例を示す。
各ベースバンド信号処理部１〜６は、それぞれのベースバンド信号を処理して、各ＭＵＸ１１ａ〜１１ｄへ出力する。
ダミーデータ処理部７は、所定のダミーデータの信号を各ＭＵＸ１１ａ〜１１ｄへ出力する。
ＯＦＤＭマッピング制御部８は、各ＭＵＸ１１ａ〜１１ｄに対して、ＯＦＤＭのマッピングの制御を行う。
【００２２】
各ＭＵＸ１１ａ〜１１ｄは、ＯＦＤＭマッピング制御部８からの制御に基づいて、各ベースバンド信号処理部１〜６やダミーデータ処理部７から入力された信号を選択や多重化して、各ＦＩＦＯ部１２ａ〜１２ｄへ出力する。
各ＦＩＦＯ部１２ａ〜１２ｄは、下りリンク（ＤＬ：Ｄｏｗｎ  Ｌｉｎｋ）のリソースグリッドを構成しており、各ＭＵＸ１２ａ〜１２ｄから入力された信号をリソースグリッドに配置して各ＩＦＦＴ部１３ａ〜１３ｄへ出力する。
【００２３】
各ＩＦＦＴ部１３ａ〜１３ｄは、各ＦＩＦＯ部１２ａ〜１２ｄから入力された信号に対して逆高速フーリエ変換（ＩＦＦＴ）の処理を行い、その結果の信号を各ＣＰ挿入部１４ａ〜１４ｄへ出力する。
各ＣＰ挿入部１４ａ〜１４ｄは、各ＩＦＦＴ部１３ａ〜１３ｄから入力された信号にＣＰを挿入して、各フィルタ１５ａ〜１５ｄへ出力する。
各フィルタ１５ａ〜１５ｄは、各ＣＰ挿入部１４ａ〜１４ｄから入力された信号をフィルタリングして、各送信アンテナ１６ａ〜１６ｄへ出力する。
各送信アンテナ１６ａ〜１６ｄは、各フィルタ１５ａ〜１５ｄから入力された信号を無線により送信する。
【実施例１】
【００２４】
本発明の第１実施例を説明する。
本例では、ＯＦＤＭマッピング制御部８に実装される機能により行われるＯＦＤＭのマッピング制御方法の一例を示す。
本例のＯＦＤＭマッピング制御部８は、図２に示されるリソースブロック（ＲＢ）テーブルと図３に示されるＲＢ共有データリストテーブルをメモリに有しており、図４に示されるフローチャートに従って動作する。
【００２５】
図２には、本例のＯＦＤＭマッピング制御方法で使用するリソース割り当てテーブルであるＲＢテーブルの一例を示してある。
本例のＲＢテーブルは、３つの要素から構成され、具体的には、ＲＢインデックス、ＲＢ割り当てＣＨ（チャネル）番号、ＲＢ共有ポインタから構成される。
ＲＢインデックスはＲＢの番号を示しており、ＲＢの最大個数分のインデックスが必要である。
ＲＢ割り当てＣＨ番号は、ＲＢ単位でリソースエレメントをマッピングする物理チャネルのＣＨ番号を格納する領域である。なお、マッピングするものが無い場合には、「マッピング無し」を意味するＣＨ番号以外の値を当該領域に格納する。
【００２６】
ＲＢ共有ポインタは、ＲＢインデックスで指定されたＲＢにおいてリソースエレメント単位でマッピングする物理チャネルや物理シグナルがある場合に、その物理チャネルや物理シグナルの各情報が格納されているリスト（ＲＢ共有データのリスト）へのポインタを格納する領域である。なお、リソースエレメント単位でマッピングするものが無い場合には、ＲＢ共有ポインタには、「マッピング無し」を意味するＮＵＬＬの値を格納する。
【００２７】
図３には、本例のＯＦＤＭマッピング制御方法で使用するリソース割り当てテーブルであるＲＢ共有データリストテーブルの一例を示してある。
本例のＲＢ共有データリストテーブルは５つの要素から構成され、具体的には、前ポインタ、次ポインタ、時間インデックス、周波数インデックス、割り当てＣＨ番号から構成される。
なお、リストの領域は、リソースエレメント単位でマッピングする物理チャネルや物理シグナルの最大個数分用意する必要がある。
【００２８】
前ポインタは、対応するＲＢテーブルのポインタ、若しくは、前のリストのポインタを格納する領域である。なお、マッピングするものが無い場合には、前ポインタには、「マッピング無し」を意味するＮＵＬＬを格納する。
次ポインタは、次のリストのポインタを格納する領域である。以降にマッピングするものが無い場合には、次ポインタには、「マッピング無し」を意味するＮＵＬＬを格納する。
【００２９】
時間インデックスは、マッピングする時間領域のインデックスを格納する領域である。具体例として、図６に示される場合には、時間方向インデックスとして“０〜３”を格納する。
周波数インデックスは、マッピングする周波数領域のインデックスを格納する領域である。具体例として、図６に示される場合には、周波数方向インデックスとして“０〜３”を格納する。
割り当てＣＨ番号は、リソースエレメント単位でマッピングする物理チャネルや物理シグナルのＣＨ番号を格納する領域である。
【００３０】
図４には、本例のＯＦＤＭマッピング制御部８により行われるＯＦＤＭマッピング制御の処理の手順の一例を示してある。
本例では、図３に示されるＲＢ共有データリストテーブルについて、時間インデックスの昇順、それから、周波数インデックスの昇順に格納する構成（例えば、ある時間インデックスについて周波数インデックスを昇順に処理し、その後、昇順に従った次の時間インデックスの処理へ移行する順序を用いる構成）とすることにより、図４に示される処理を実現する。
【００３１】
ＯＦＤＭマッピング制御部８では、繰り返し処理（１）として、ステップＳ１とステップＳ１６との間の処理を時間領域の数だけ繰り返して行う。本例では、時間領域の数として、スロット（ｓｌｏｔ）の数を用いている。
また、繰り返し処理（１）の中で、繰り返し処理（２）として、ステップＳ２とステップＳ１５との間の処理を周波数領域の数だけ繰り返して行う。本例では、周波数領域の数として、ＲＢの数を用いている。
また、繰り返し処理（２）の中で、繰り返し処理（３）として、ステップＳ３とステップＳ１４との間の処理を周波数領域のサイズだけ繰り返して行う。本例では、周波数領域のサイズとして、ＲＢのサイズを用いている。
上記した３つの繰り返し処理（１）、（２）、（３）を行うことにより、ＯＦＤＭリソースグリッドを全てマッピングすることができる。
【００３２】
上記した３つの繰り返し処理（１）、（２）、（３）の中で行われる処理（ステップＳ４〜ステップＳ１３）について説明する。
条件（１）として、ＣＨ割り当ての有無を確認する（ステップＳ４）。具体的には、ＲＢテーブルにおいて、該当するＲＢインデックスのＲＢ割り当てＣＨ番号にマッピングチャネルがあるか否かを判定する。
この結果、該当するＲＢインデックスのＲＢ割り当てＣＨ番号にマッピングチャネルがあること（つまり、ＣＨ割り当てがあること）が判定された場合には、ＣＨ番号選択処理（１）として、マッピング指定ＣＨ番号にＲＢ割り当てＣＨ番号を格納する（ステップＳ５）。
一方、該当するＲＢインデックスのＲＢ割り当てＣＨ番号にマッピングチャネルがないこと（つまり、ＣＨ割り当てがないこと）が判定された場合には、ＣＨ番号選択処理（２）として、マッピング指定ＣＨ番号にダミーＣＨ番号を格納する（ステップＳ６）。
【００３３】
いずれかのＣＨ番号選択処理（１）、（２）の後、条件（２）として、ＲＢ共有の有無を確認する（ステップＳ７）。具体的には、ＲＢテーブルにおいて、該当するＲＢインデックスのＲＢ共有ポインタが設定されているか否かを判定する。
この結果、該当するＲＢインデックスのＲＢ共有ポインタが設定されていないこと（つまり、共有ＲＢがないこと）が判定された場合には、ステップＳ１３の処理へ移行する。
【００３４】
一方、該当するＲＢインデックスのＲＢ共有ポインタが設定されていること（つまり、共有ＲＢがあること）が判定された場合には、リスト処理（１）として、ＲＢ共有ポインタで指定されたＲＢ共有データリストテーブルを選択して遷移する（ステップＳ８）。
次に、条件（３）として、選択したＲＢ共有データリストテーブルにおいて、その時間インデックスが現時点でマッピングすべき時間インデックスと一致するか否かを比較して判定する（ステップＳ９）。
この結果、その時間インデックスが現時点でマッピングすべき時間インデックスと一致しない（つまり、不一致である）ことが判定された場合には、ステップＳ１３の処理へ移行する。
【００３５】
一方、その時間インデックスが現時点でマッピングすべき時間インデックスと一致することが判定された場合には、条件（４）として、選択したＲＢ共有データリストテーブルにおいて、その周波数インデックスが現時点でマッピングすべき周波数インデックスと一致するか否かを比較して判定する（ステップＳ１０）。
この結果、その周波数インデックスが現時点でマッピングすべき周波数インデックスと一致しない（つまり、不一致である）ことが判定された場合には、ステップＳ１３の処理へ移行する。
【００３６】
一方、その周波数インデックスが現時点でマッピングすべき周波数インデックスと一致することが判定された場合には、ＣＨ番号選択処理（３）として、マッピング指定ＣＨ番号に、選択したＲＢ共有データリストテーブルの割り当てＣＨ番号を格納する（ステップＳ１１）。
次に、リスト処理（２）として、選択したＲＢ共有データリストテーブルをリストから削除し（ステップＳ１２）、ステップＳ１３の処理へ移行する。
【００３７】
そして、マッピング処理を行う（ステップＳ１３）。具体的には、マッピング指定ＣＨ番号の情報を含むセレクタ信号をＭＵＸ１１ａ〜１１ｄのセレクタ（ｓｅｌ）に入力する。このようなセレクタ信号によりＭＵＸ１１ａ〜１１ｄは制御され、ＭＵＸ１１ａ〜１１ｄでは、セレクタ信号により指定されたＣＨ番号（マッピング指定ＣＨ番号）に従って、マッピングすべき信号を選択して、ＯＦＤＭリソースグリッドにマッピングする。
【００３８】
次に、図５〜図８を参照して、本例の具体例を示す。
図５には、本例の具体例を模式的に説明するための下りリンクＯＦＤＭリソースグリッド（以下で、簡易リソースグリッドとも言う）を示してある。
本例の簡易リソースグリッドでは、周波数方向のリソースエレメントの数ＮＤＬＢＷが１６（＝４×４）個であり、時間方向のリソースエレメントの数ＮＤＬｓｙｍｂが４個であり、リソースブロックを構成する周波数方向のリソースエレメントの数ＮＲＢＢＷが４個であり、リソースブロックを構成するリソースエレメントの総数が１６（＝ＮＤＬｓｙｍｂ×ＮＲＢＢＷ）個である。
ここで、本例のような簡易なリソースグリッドは、実際には用いられないような構成であるが、本例では、説明を簡単にするために、このような簡易リソースグリッドを用いて説明を行う。
【００３９】
また、本例では、マッピングされる物理リソース信号としては、ＲＢ単位のマッピングを行うＣＨ＿Ａ、ＣＨ＿Ｂ、ＣＨ＿Ｄと、リソースエレメント単位のマッピングを行うＣＨ＿Ｃといった４種類の信号があるとして説明を行う。
【００４０】
図６には、図５に示される簡易リソースグリッドにおけるリソース割り当ての一例を示してある。
図６において、各リソースエレメント内の記号（例えば、ＣＨ＿Ａ（０，０，０）やＣＨ＿Ｂ（１，３，２）など）は、「マッピングチャネル（ＲＢ番号、周波数インデックス、時間インデックス）」を意味する。具体例として、ＣＨ＿Ａ（０，０，０）は、マッピングチャネルがＣＨ＿Ａであり、ＲＢ番号が０であり、周波数インデックスが０であり、時間インデックスが０であることを意味し、また、ＣＨ＿Ｂ（１，３，２）は、マッピングチャネルがＣＨ＿Ｂであり、ＲＢ番号が１であり、周波数インデックスが３であり、時間インデックスが２であることを意味する。
【００４１】
図６に示されるリソース割り当てでは、ＲＢ単位のマッピングを行うＣＨ＿ＡがＲＢ番号０（ＲＢ＃０）の１ＲＢに割り当てられており、ＲＢ単位のマッピングを行うＣＨ＿ＤがＲＢ番号２（ＲＢ＃２）の１ＲＢに割り当てられており、ＲＢ単位のマッピングを行うＣＨ＿ＢがＲＢ番号３（ＲＢ＃３）の１ＲＢに割り当てられている。
また、図６に示されるリソース割り当てでは、ＲＢ単位のマッピングを行うＣＨ＿ＢがＲＢ番号１（ＲＢ＃１）に割り当てられているとともに、そのＲＢにおいて、リソースエレメント単位のマッピングを行うＣＨ＿Ｃが、「ＲＢ番号１（ＲＢ＃１）、周波数インデックス“２”、時間インデックス“１”」及び「ＲＢ番号１（ＲＢ＃１）、周波数インデックス“０”、時間インデックス“３”」の２箇所に割り当てられている。
【００４２】
図７には、マッピング時におけるテーブル（ＲＢテーブル及びＲＢ共有データリストテーブル）の設定の一例を示してある。本例では、図６に示されるマッピングによるリソース割り当てが実現される設定例を示してある。
具体的には、ＲＢテーブルでは、ＲＢインデックス“０”とＲＢ割り当てＣＨ番号“ＣＨ＿Ａ”とＲＢ共有ポインタ“ＮＵＬＬ（無し）”が対応付けて格納されており、ＲＢインデックス“１”とＲＢ割り当てＣＨ番号“ＣＨ＿Ｂ”とＲＢ共有ポインタ“０ｘ８０００”が対応付けて格納されており、ＲＢインデックス“２”とＲＢ割り当てＣＨ番号“ＣＨ＿Ｄ”とＲＢ共有ポインタ“ＮＵＬＬ（無し）”が対応付けて格納されており、ＲＢインデックス“３”とＲＢ割り当てＣＨ番号“ＣＨ＿Ｂ”とＲＢ共有ポインタ“ＮＵＬＬ（無し）”が対応付けて格納されている。
【００４３】
ここで、ＲＢインデックス“１”については、ＲＢ共有ポインタ“０ｘ８０００”が対応付けられている。なお、本例では、ＲＢ共有ポインタなどのポインタの値として、メモリのアドレス位置を表す値を用いている。
前記したＲＢ共有ポインタ“０ｘ８０００”のアドレス位置にはＲＢ共有データリストテーブル（１）が記憶されている。ＲＢ共有データリストテーブル（１）では、前ポインタとしてＲＢテーブル中のＲＢインデックス“１”のアドレス位置を表す“０ｘ４００１”が格納されており、次ポインタ“０ｘ８０１０”が格納されており、時間インデックス“１”が格納されており、周波数インデックス“２”が格納されており、割り当てＣＨ番号“ＣＨ＿Ｃ”が格納されている。
【００４４】
前記した次ポインタ“０ｘ８０１０”のアドレス位置にはＲＢ共有データリストテーブル（２）が記憶されている。ＲＢ共有データリストテーブル（２）では、前ポインタとしてＲＢ共有データリストテーブル（１）のアドレス位置を表す“０ｘ８０００”が格納されており、次ポインタ“ＮＵＬＬ（無し）”が格納されており、時間インデックス“３”が格納されており、周波数インデックス“０”が格納されており、割り当てＣＨ番号“ＣＨ＿Ｃ”が格納されている。
このように、リソースエレメント単位のマッピングを行うＣＨ＿Ｃについての割り当て内容が、ＲＢ共有データリストテーブルに、時間インデックスの昇順、それから、周波数インデックスの昇順に格納されている。
【００４５】
図８には、マッピング時におけるＲＢ共有データリストテーブルの削除処理の一例を模式的に示してある。本例では、図７に示されるテーブルの状態から、リソースエレメント単位のマッピングを行うＣＨ＿Ｃについて、ＣＨ＿Ｃ（１，２，１）のリソースエレメントをマッピングした際におけるＲＢ共有データリストテーブル（１）のリスト削除処理を示してある。
【００４６】
具体的には、ＲＢ共有データリストテーブル（１）については、マッピングの処理が完了したため、前ポインタを“ＮＵＬＬ（無し）”へ変更し、次ポインタを“ＮＵＬＬ（無し）”へ変更して、削除されるようにする。また、ＲＢテーブルについては、ＲＢインデックス“１”に対応するＲＢ共有ポインタを次のＲＢ共有データリストテーブル（２）のアドレス位置を表す“０ｘ８０１０”へ変更する。また、次のＲＢ共有データリストテーブル（２）については、前ポインタをＲＢテーブル中のＲＢインデックス“１”のアドレス位置を表す“０ｘ４００１”へ変更する。
【００４７】
以上のように、本例の無線基地局装置（ＢＴＳ）では、下りリンク（ＤＬ）の各物理チャネル、物理シグナルのベースバンド信号処理後の物理リソース信号をＯＦＤＭリソースエレメントにマッピングする制御において、図２に示されるようなＲＢテーブル及び図３に示されるようなＲＢ共有データリストテーブルといったリソース割り当てテーブルを持ち、ＲＢ単位でマッピングする物理リソース信号とリソースエレメント単位でマッピングする物理リソース信号を一元管理することで、容易に、各物理リソース信号をＯＦＤＭリソースエレメントにマッピングすることができる。
【００４８】
ここで、本例のＲＢテーブルは、リソースブロック（ＲＢ）毎にＲＢ番号を示すＲＢインデックスと、ＲＢ単位でマッピングされる物理チャネルを示すＲＢ割り当てＣＨ番号と、リソースエレメント単位でマッピングされる物理チャネル、物理シグナルの各情報を持つリストへのポインタを示すＲＢ共有ポインタから構成されている。
また、本例のＲＢ共有データリストテーブルは、リソースエレメント単位でマッピングされる物理チャネル、物理シグナルの各情報として、ＲＢテーブル或いは前のリストのポインタを示す前ポインタと、次のリストのポインタを示す次ポインタと、リソースエレメント単位での時間領域のインデックスを示す時間インデックスと、リソースエレメント単位での周波数領域のインデックスを示す周波数インデックスと、リソースエレメント単位でマッピングされる物理チャネル、物理シグナルを示す割り当てＣＨ番号から構成されている。
【００４９】
このように、本例の無線基地局装置におけるＯＦＤＭマッピング制御では、ＲＢテーブルとＲＢ共有データリストテーブルを持つことで、ＲＢ単位でマッピングする物理リソース信号とリソースエレメント単位でマッピングする物理リソース信号を一元管理して、容易に、各物理リソース信号をＯＦＤＭリソースエレメントにマッピングすることができ、制御方法の簡略化や制御の効率化を図ることができる。
【００５０】
なお、本例の無線基地局装置（無線通信装置の一例）では、図１０に示されるような下りリンクＯＦＤＭリソースグリッドの領域（簡易化した説明では、図５や図６に示されるもの）により通信リソース領域が構成されており、また、図２に示されるようなＲＢテーブルをメモリに記憶する機能によりＲＢ情報記憶手段が構成されており、図３に示されるようなＲＢ共有データリストテーブルをメモリに記憶する機能によりＲＢ共有情報記憶手段が構成されており、ＲＢテーブルの内容やＲＢ共有データリストテーブルの内容に基づいてＯＦＤＭマッピング制御部８がマッピング（通信リソース領域の割り当て）を制御する機能により割り当て制御手段が構成されている。
【実施例２】
【００５１】
本発明の第２実施例を説明する。
本例では、上記した第１実施例で説明したのと同様なＯＦＤＭマッピング制御を行うＯＦＤＭマッピング制御部８を備えた図１に示される無線基地局装置について、更に説明する。
ＯＦＤＭマッピング制御部８は、周波数軸方向から時間軸方向へとマッピング制御を行う。
【００５２】
各マルチプレクサ（ＭＵＸ）１１ａ〜１１ｄは、全ての物理チャネル、物理シグナルの出力信号を入力とし、ＯＦＤＭマッピング制御部８からのセレクタ信号（選択信号）を基に入力信号を選択して、各ＦＩＦＯ部（各ＯＦＤＭリソースグリッド）１２ａ〜１２ｄへ出力する。
各ＦＩＦＯ１２ａ〜１２ｄでは、ＯＦＤＭマッピング制御部８によるマッピング制御によって、周波数軸方向にＯＦＤＭリソースエレメントがエンキューされ、周波数軸方向のエンキューが完了した後に、時間軸をずらしてエンキューが行われる。後段の処理部では、各ＦＩＦＯ１２ａ〜１２ｄをデキューすることにより、容易に、信号を取り出すことができる。
【００５３】
以上のように、本例の無線基地局装置では、ＲＢテーブルやＲＢ共有データリストテーブルといったリソース割り当てテーブルを用いてＯＦＤＭマッピング制御を行うＯＦＤＭマッピング制御部８と、アンテナ毎にＯＦＤＭリソースエレメントを周波数軸方向から時間軸方向へと格納するためのＦＩＦＯ（ＤＬリソースグリッド）１２ａ〜１２ｄと、ＯＦＤＭマッピング制御部８からの制御情報（例えば、ＣＨ番号の情報）を用いて各物理チャネル、物理シグナルの物理リソース信号を選択するマルチプレクサ（ＭＵＸ）１１ａ〜１１ｄを持ち、初めに周波数軸方向にＯＦＤＭリソースエレメントをマッピングし、周波数軸方向のマッピングが完了した後に、時間軸をずらしてマッピングすることにより、後段の処理部へその入力信号を容易に取り出すことができる。
【００５４】
このように、本例の無線基地局装置では、ＯＦＤＭマッピング制御部８とＭＵＸ１１ａ〜１１ｄとＦＩＦＯ１２ａ〜１２ｄを持ち、周波数軸方向にＯＦＤＭリソースエレメントをＦＩＦＯ１２ａ〜１２ｄにエンキューし、時間軸をずらして、同様にＦＩＦＯ１２ａ〜１２ｄにエンキューすることにより、後段の処理部への入力信号の取り出し（後段の処理部への信号の出力）を効率化することができる。
【００５５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５６】
【図１】本発明の一実施例に係る無線基地局装置の構成例を示す図である。
【図２】ＲＢテーブルの一例を示す図である。
【図３】ＲＢ共有データリストテーブルの一例を示す図である。
【図４】ＯＦＤＭマッピング制御部により行われるＯＦＤＭマッピング制御の処理の手順の一例を示す図である。
【図５】説明用の下りリンクＯＦＤＭリソースグリッド（簡易リソースグリッド）を示す図である。
【図６】簡易リソースグリッドにおけるリソース割り当ての一例を示す図である。
【図７】マッピング時におけるテーブル（ＲＢテーブル及びＲＢ共有データリストテーブル）の設定の一例を示す図である。
【図８】マッピング時におけるＲＢ共有データリストテーブルの削除処理の一例を示す図である。
【図９】ベースバンド部の下りリンクに関する構成例を示す図である。
【図１０】ＯＦＤＭ方式における下りリンクのリソースグリッドの一例を示す図である。
【図１１】下りリンクにおけるＯＦＤＭリソースブロックの各パラメータの値の一例を示す図である。
【符号の説明】
【００５７】
１、２・・ＰＤＳＣＨベースバンド信号処理部、  ３・・ＰＤＣＣＨベースバンド信号処理部、  ４・・ＣＣＰＣＨベースバンド信号処理部、  ５・・参照信号ベースバンド信号処理部、  ６・・同期信号ベースバンド信号処理部、  ７・・ダミーデータ処理部、  ８・・ＯＦＤＭマッピング処理部、  １１ａ〜１１ｄ・・ＭＵＸ、  １２ａ〜１２ｄ・・ＦＩＦＯ部、  １３ａ〜１３ｄ・・ＩＦＦＴ部、  １４ａ〜１４ｄ・・ＣＰ挿入部、  １５ａ〜１５ｄ・・フィルタ、  １６ａ〜１６ｄ・・送信アンテナ、
１０１、１０２・・スクランブル部、  １０３、１０４・・変調マップ部、  １０５・・レイヤマップ部、  １０６・・プレコード部、  １０７、１０８・・ＯＦＤＭマップ部、  １０９、１１０・・ＯＦＤＭ信号生成部、
【図１】
2009165001.tif 000003
【図２】
2009165001.tif 000004
【図３】
2009165001.tif 000005
【図４】
2009165001.tif 000006
【図５】
2009165001.tif 000007
【図６】
2009165001.tif 000008
【図７】
2009165001.tif 000009
【図８】
2009165001.tif 000010
【図９】
2009165001.tif 000011
【図１０】
2009165001.tif 000012
【図１１】
2009165001.tif 000013